(57)【要約】      （修正有）【課題】コイル状に巻かれた紐から成り、形状が崩れ難い装飾材を提供すると共に、その装飾材を容易に製造することができる器具を提供する。【解決手段】装飾材１０は、コイル状紐体１１と、コイル状紐体１１の円筒状表面の母線に沿ってコイル状紐体１１の紐を固定する帯（固定手段）１２と、を備える。手芸用装飾材製造器具は、棒状の芯材２２と、一端に第１切込２１１を有すると共に第１切込２１１とは異なる箇所で軸方向全長に亘って延びるスリットを有し、芯材２１を内部に挿入したとき、自らの弾性によって芯材２１を保持する外筒２１と、を備える。装飾材１０は、芯材２２を外筒２１の中に挿入し（ａ）、第１切込２１１に紐の一端を挟み、紐を外筒２１の周囲に巻回してコイル状紐体１１を形成し（ｂ）、コイル状紐体１１の表面に帯１２を貼付し（ｃ）、芯材２２を外筒２１内から抜き（ｄ）、外筒２１をコイル状紐体１１から抜く（ｅ）ことにより作製する。【選択図】図４
0003154483.tif 000002
【実用新案登録請求の範囲】
【請求項１】
a) 紐がコイル状に巻かれたコイル状紐体と、
b) 前記コイル状紐体の円筒状表面の母線に沿って該コイル状紐体の紐を固定する固定手段と、
を備えることを特徴とする手芸用装飾材。
【請求項２】
前記固定手段が、前記円筒状表面に貼付された帯であることを特徴とする請求項１に記載の手芸用装飾材
【請求項３】
a) 棒状の芯材と、
b) 一端に切込を有すると共に、該切込とは異なる箇所で軸方向全長に亘って延びるスリットを有し、前記芯材を内部に挿入したとき、自らの弾性によって前記芯材を保持する外筒と、
を備えることを特徴とする手芸用装飾材製造器具。
【請求項４】
前記外筒がプラスチック製のストローから成ることを特徴とする請求項３に記載の手芸用装飾材製造器具。
【請求項５】
前記芯材が、一端に第２切込を有する筒状のものであることを特徴とする請求項３又は４に記載の手芸用装飾材製造器具。
【請求項６】
請求項３〜５のいずれかに記載の手芸用装飾材製造器具と、紐とを含むことを特徴とする手芸キット。
【考案の詳細な説明】
【技術分野】
【０００１】
本考案は、コイル状に巻かれた紐で構成される手芸用装飾材、及び、その装飾材の製造に用いられる器具に関する。
【背景技術】
【０００２】
手芸に用いられる装飾材の１つに、紐をコイル状に巻いたものがある。このような装飾材は、例えば短く（コイルの長さで1cm程度に）切断して、その多数をキャンバス等に貼り付けることにより、量感のある壁飾りを作製することができる。この装飾材の作製方法に関し、特許文献１には、補助器具に紐（糸）をコイル状に巻き付けた後、紐の両端を軽く結び、紐を補助器具から外し、紐を結び直すという方法が記載されている。
【先行技術文献】
【特許文献】
【０００３】
【特許文献１】特開2002-019393号公報
【考案の概要】
【考案が解決しようとする課題】
【０００４】
特許文献１では、コイル形成後、紐の両端を結ぶとしているが、それだけではコイルが崩れ易い。また、特許文献１に記載の方法では、作製中に紐のコイル形状が崩れないように紐を補助器具に弛み無く巻き付ける必要があるが、そうすると紐を補助器具から外し難くなる。更に、その状態で紐を補助器具から外すと、その際にコイル形状が崩れてしまうおそれがある。
【０００５】
本考案が解決しようとする課題は、コイル状に巻かれた紐から成り、形状が崩れ難い装飾材を提供すると共に、その装飾材を容易に製造することができる器具を提供することである。
【課題を解決するための手段】
【０００６】
上記課題を解決するために成された本考案に係る手芸用装飾材は、
a) 紐がコイル状に巻かれたコイル状紐体と、
b) 前記コイル状紐体の円筒状表面の母線に沿って該コイル状紐体の紐を固定する固定手段と、
を備えることを特徴とする。
【０００７】
本考案に係る装飾材はコイル状紐体の紐が固定手段で固定されているため、形状が崩れ難い。
【０００８】
前記固定手段には、前記円筒状表面に貼付された帯を用いることができる。また、前記円筒状表面の母線に沿って塗布された接着剤とすることもできる。
【０００９】
本考案に係る手芸用装飾材製造器具は、
a) 棒状の芯材と、
b) 一端に切込を有すると共に、該切込とは異なる箇所で軸方向全長に亘って延びるスリットを有し、前記芯材を内部に挿入したとき、自らの弾性によって前記芯材を保持する外筒と、
を備えることを特徴とする。
【００１０】
本考案に係る手芸用装飾材製造器具を用いることにより、上記装飾材を以下のように製造することができる。
まず、芯材を外筒の中に挿入する。このとき、芯材は外筒の弾性により保持される。次に、紐の一端を外筒の切込に挟むことにより固定し、紐を外筒の周囲に巻回してコイル状紐体を形成する。続いて、コイル状紐体の円筒状表面の母線に沿って帯を貼付したり接着剤を塗布する等により、コイル状紐体の形状を固定する。その後、まず芯材を外筒から抜き、更に外筒をコイル状紐体から抜く。これにより、本考案に係る装飾材が完成する。
【００１１】
紐を外筒の周囲に巻回する間は、外筒内に芯材が挿入されているため、紐を多少強く巻いても外筒がつぶれてコイル状紐体の形状が崩れることがない。一方、コイル状紐体を形成し、固定手段で固定して芯材を外筒から抜いた後は、コイル状紐体の円筒状表面を指で軽く押すと、外筒がその全長に亘るスリットにより径が縮小する。そのため、コイル状紐体は容易に外筒から抜くことができ、その際にコイル状紐体の形状が崩れることもない。
【００１２】
前記芯材には、一端に切込（以下、外筒の切込と区別するために「第２切込」と呼ぶ）を有する筒状のものを用いることができる。この場合、第２切込の位置を外筒の切込の位置に合わせるように芯材を外筒に挿入し、紐の一端を外筒の切込と第２切込の双方に挟む。第２切込が無い場合、紐の一端を外筒の切込に確実に挟むためには芯材を外筒の端から少し引かなければならないが、第２切込を設けることにより、外筒と芯材の端を揃えることができ、端においてもよりしっかりとコイル状紐体を巻回することができるようになる。
【考案の効果】
【００１３】
本考案に係る手芸用装飾材は、コイル状紐体の円筒状表面の母線に沿って固定手段で固定されているため、コイル状紐体の形状が崩れ難い。
【００１４】
また、本考案に係る手芸用装飾材製造器具によれば、外筒がつぶれることがなく外筒の周囲に紐を巻回して固定手段で該紐を固定することができ、且つ、コイル状紐体を外筒から抜きやすくなるため、コイル状紐体の形状が崩れることを防ぐことができる。
【図面の簡単な説明】
【００１５】
【図１】本考案に係る手芸用装飾材の一実施例を示す、１方向から見た側面図(a)、及び図(a)中に示したA方向から見た側面図(b)。
【図２】本考案に係る手芸用装飾材製造器具の一実施例の外筒(a)及び芯材(b)を示す側面図。
【図３】本考案に係る手芸キットの一例を示す概略図。
【図４】本実施例の手芸用装飾材製造器具を用いて本実施例の手芸用装飾材を製造する方法の例を示す図。
【図５】本実施例の手芸用装飾材を使用した手芸品を作製する過程の一部を示す図。
【図６】本実施例の手芸用装飾材をキャンバスに貼付する様子を示した概略図。
【考案を実施するための形態】
【００１６】
図１〜図６を用いて、本考案に係る手芸用装飾材及び手芸用装飾材製造器具の実施例を説明する。
【実施例】
【００１７】
(1) 手芸用装飾材の一実施例
まず、本実施例の手芸用装飾材１０の構成を説明する。手芸用装飾材１０は、図１に示すように、コイル状紐体１１と帯（固定手段）１２を有する。コイル状紐体１１は、紐１３がコイル状に巻かれたものである。本実施例では、紐１３にはメタリックヤーンを用いた。メタリックヤーンは金属製の糸、又は金属製の糸と天然繊維製若しくは化学繊維製の糸を撚り合わせた紐である。帯１２はコイル状紐体１１の円筒状表面の母線に沿って、コイル状紐体１１の表面に貼付されている。本実施例では、帯１２には紙を用いた。また、帯１２の貼付には手芸用ボンドを用いた。
【００１８】
本実施例の手芸用装飾材１０では、コイル状紐体１１の円筒状表面の母線に沿って帯１２が貼付されていることにより紐が固定されているため、コイル状紐体１１の形状が崩れ難い。
【００１９】
(2) 本考案に係る手芸用装飾材製造器具の一実施例
次に、本実施例の手芸用装飾材製造器具２０の構成を説明する。手芸用装飾材製造器具２０は、図２に示すように、外筒２１と芯材２２とを有する。外筒２１は、プラスチック製のストローから成る外筒本体２１０の一端に三角形状の切込（後述の第２切込と区別するために、以下では「第１切込」と呼ぶ）２１１を有すると共に、外筒本体２１０の表面のうち第１切込２１１のほぼ真裏には、外筒２１の軸方向の全体に亘って延びるスリット２１２を有する。芯材２２は、プラスチック製ストローから成る芯材本体２２０の一端に三角形状の第２切込２２１を有する。本実施例では外筒２１の長さを約10.5cm、外径を約6mmとし、芯材２２の長さを約12cm、外径を約5.5mmとした。これらの寸法は作製する手芸用装飾材１０の寸法に応じて適宜変更すればよい。
【００２０】
図３に示した手芸キット１５は、紐１３と手芸用装飾材製造器具２０を同梱して販売するものである。この手芸キット１５には更に、帯１２よりも幅広の紙に、帯１２の幅と同じ間隔の切り取り線１２１１を印刷した帯用材料１２１が同梱されている。この例では、手芸キット１５の購入者が帯材料１２１を裁断することにより帯１２を作製する。なお、手芸キット１５に裁断済みの帯１２そのものを同梱してもよいし、手芸キット１５には帯を同梱することなく、購入者が手持ちの紙で帯１２を作製するようにしてもよい。また、この例の手芸キット１５は帯１２をコイル状紐体１１に貼付するための手芸用ボンドを同梱していないが、もちろんそれを同梱してもよい。
【００２１】
(3) 手芸用装飾材製造器具を用いた手芸用装飾材の製造方法の例
図４を参照しつつ、手芸用装飾材製造器具２０を用いて手芸用装飾材１０を製造する方法を説明する。まず、芯材２２を外筒２１の中に挿入し、外筒２１の第１切込２１１と芯材２２の第２切込２２１の位置を合わせて両者を重ねる(a)。この時、芯材２２は外筒２１の弾性により保持される。
【００２２】
次に、紐１３の一端を第１切込２１１及び第２切込２２１に挟み、紐１３を外筒２１の周囲に巻回してコイル状紐体１１を形成する(b)。その際、外筒２１内に芯材２２が挿入されているため、紐１３を多少強く巻いても外筒２１がつぶれてコイルの形状が崩れることがない。続いて、コイル状紐体１１の円筒状表面に、その円筒状表面の母線に沿って帯１２を貼付する(c)。ここで、帯１２は手芸用ボンド１４を用いて円筒状表面に接着する。
【００２３】
次に、芯材２２を外筒２１から抜く(d)。続いて、外筒２１をコイル状紐体１１から抜く(e)ことにより、手芸用装飾材１０が得られる。その際、コイル状紐体１１の円筒状表面を指で軽く押さえることで、スリットにより外筒２１の径が縮小する。そのため、外筒２１をコイル状紐体１１から抜くことができ、その際にコイル状紐体１１の形状が崩れることもない。
【００２４】
(4) 本考案に係る手芸用装飾材の使用例
図５及び図６を参照しつつ、手芸用装飾材１０の使用例として、キャンバス上に花の模様を施した手芸品について説明する。
【００２５】
この手芸品は以下の方法により作製される。まず、図５に示すように、手芸用装飾材１０を軸方向に適当な長さ（巻き数で２〜５回分程度）に切断する。そして、図６に示すように、切断された手芸用装飾材１０Ａを多数、帯１２が貼付された部分を裏側にして（即ち帯１２が隠れるように）、手芸用ボンドを用いてキャンバス３１に貼付する。ここで、キャンバス３１には予め紐状の部材３２により花の模様を成す縁が手芸用ボンドで貼付されており、切断された手芸用装飾材１０Ａは縁で囲まれた領域（図６の例では花びら３３）内に貼付される。
【００２６】
こうして作製された手芸品は、手芸用装飾材１０がコイル形状を有することによりキャンバス３１の表面から盛り上がるため、量感のある見た目になる。また、手芸用装飾材１０の紐にメタリックヤーンを用いることにより、手芸用装飾材１０が光沢を持ち、手芸品の審美性が高まる。
【００２７】
(5) その他の例
本考案は上記実施例に限定されるものではない。例えば、コイル状紐体を構成する紐には、メタリックヤーンの代わりに、毛糸や組紐等を用いることができる。帯には、紙製のものの代わりに布等の他の材料から成る帯を用いることができる。また、帯にはセロハンテープ（片面）や両面テープを用いることもできる。両面テープは、手芸用ボンドを用いることなくコイル状紐体の表面に貼付することができると共に、上記の使用例においてコイル状紐体の表面に貼付したのと反対側の接着面を用いて、切断された手芸用装飾材１０Ａをキャンバス３１に貼付することができる。更に、固定手段として、帯の代わりに接着剤のみを用いてもよい。
【００２８】
手芸用装飾材製造器具の芯材には、（中空の）ストローの代わりに竹ひご等の中実のものを用いることができる。この場合、紐を外筒の切込に挟む際に芯材が邪魔にならないように、芯材の先端が外筒の先端にまで達しないように芯材を外筒の途中まで挿入する。
【符号の説明】
【００２９】
１０…手芸用装飾材
１０Ａ…切断された手芸用装飾材
１１…コイル状紐体
１２…帯
１２１…帯用材料１２１
１２１１…切り取り線
１３…紐
１４…手芸用ボンド
１５…手芸キット
２０…手芸用装飾材製造器具
２１…外筒
２１０…外筒本体
２１１…第１切込
２１２…スリット
２２…芯材
２２０…芯材本体
２２１…第２切込
３１…キャンバス
３２…紐状部材
３３…手芸用装飾材を貼付する領域（花びら）
【図１】
0003154483.tif 000003
【図２】
0003154483.tif 000004
【図３】
0003154483.tif 000005
【図４】
0003154483.tif 000006
【図５】
0003154483.tif 000007
【図６】
0003154483.tif 000008
【手続補正書】
【提出日】平成21年8月7日(2009.8.7)
【手続補正１】
【補正対象書類名】実用新案登録請求の範囲
【補正対象項目名】全文
【補正方法】変更
【補正の内容】
【実用新案登録請求の範囲】
【請求項１】
a) 紐がコイル状に巻かれたコイル状紐体と、
b) 前記コイル状紐体の円筒状表面の母線に沿って該コイル状紐体の紐を固定する固定手段と、
を備えることを特徴とする手芸用装飾材。
【請求項２】
前記固定手段が、前記円筒状表面に貼付された帯であることを特徴とする請求項１に記載の手芸用装飾材。
【請求項３】
請求項１又は２に記載の手芸用装飾材を製造する器具であって、
a) 棒状の芯材と、
b) 一端に切込を有すると共に、該切込とは異なる箇所で軸方向全長に亘って延びるスリットを有し、前記芯材を内部に挿入したとき、自らの弾性によって前記芯材を保持する外筒と、
を備えることを特徴とする手芸用装飾材製造器具。
【請求項４】
前記外筒がプラスチック製のストローから成ることを特徴とする請求項３に記載の手芸用装飾材製造器具。
【請求項５】
前記芯材が、一端に第２切込を有する筒状のものであることを特徴とする請求項３又は４に記載の手芸用装飾材製造器具。
【請求項６】
請求項３〜５のいずれかに記載の手芸用装飾材製造器具と、紐とを含むことを特徴とする手芸キット。